(57)【要約】【課題】  ユニークワード検出のための記憶容量を削減する。【解決手段】  ＢＢコントローラ部５０は、サンプリングクロック２０８によって、ＩＱデータ２００に含まれたデータに番号を付け、当該番号が与えれらたＩＱデータ２００を出力する。記憶部５６は、サンプルカウンタ値２０４で示された番号ｍに対応したアドレスにＩＱデータ２００を記憶する。検出部５８は、記憶部５６に記憶された信号に対して、検出単位でユニークワード検出する。復調部５４は、ＩＱデータ２００を遅延検波する。検出部５８からＳＳのタイミング番号の報告を受けた場合、それに対応したＣＲＣのタイミング番号にもとづいてＣＲＣチェックを行う。基地局情報格納部６０は、オープンアパーチャの際に検出した基地局装置の受信タイミング番号やその他の情報を記憶する。【選択図】  図３
2005101878.tif 000002
【特許請求の範囲】
【請求項１】
ひとつのフレームを分割した複数のスロットに含まれた信号を受信する受信部と、
前記受信した信号を記憶する記憶部と、
前記記憶した信号から、基準とすべきタイミングを示した既知のユニークワードを検出する検出部とを備え、
前記記憶部は、少なくともひとつのスロットに含まれた信号を記憶可能な記憶領域を有しており、当該記憶領域に前記受信した信号を巡回的に上書きしながら記憶し、
前記検出部は、前記記憶領域を複数の領域に分割した場合のひとつの領域に含まれた信号のデータ量をひとつの検出単位として前記既知のユニークワードを検出することを特徴とするタイミング同期装置。
【請求項２】
前記記憶部が有した記憶領域の記憶容量を略ひとつのスロットに含まれた信号のデータ量にすることを特徴とする請求項１に記載のタイミング同期装置。
【請求項３】
前記検出部は、ひとつの検出単位に含まれた信号を受信するための期間より短い期間で、前記記憶した信号から前記既知のユニークワードをひとつの検出単位で間欠的に検出することを特徴とする請求項１または２に記載のタイミング同期装置。
【請求項４】
前記検出部は、前記記憶領域を複数の領域に分割した場合に複数の領域にわたって含まれたユニークワードを検出するために、複数の検出単位に含まれた前記既知のユニークワードを検出することを特徴とする請求項１から３のいずれかに記載のタイミング同期装置。
【請求項５】
前記スロットは、予め規定された位置に誤り検出符号を配置しており、
本タイミング同期装置はさらに、前記記憶した信号を復調する復調部と、
前記検出部で既知のユニークワードを検出した場合に、前記復調した信号の中の誤り検出符号に誤りがなければ、前記既知のユニークワードを検出したタイミングを基準のタイミングに決定する決定部とをさらに備えたことを特徴とする請求項１から４のいずれかに記載のタイミング同期装置。
【請求項６】
ひとつのフレームを分割した複数のスロットに含まれた信号が、少なくともひとつのスロットに含まれた信号を記憶可能な記憶領域に巡回的に上書きしながら記憶され、前記記憶領域を複数の領域に分割した場合のひとつの領域に含まれた信号のデータ量をひとつの検出単位として、記憶した信号から基準とすべきタイミングを示した既知のユニークワードを検出することを特徴とするタイミング同期方法。
【請求項７】
無線ネットワークを介して、ひとつのフレームを分割した複数のスロットに含まれた信号を受信するステップと、
少なくともひとつのスロットに含まれた信号を記憶可能な記憶領域に、前記受信した信号を巡回的に上書きしながら記憶するステップと、
前記記憶領域を複数の領域に分割した場合のひとつの領域に含まれた信号のデータ量をひとつの検出単位として、記憶した信号から基準とすべきタイミングを示した既知のユニークワードを検出するステップと、
をコンピュータに実行させるためのプログラム。
【発明の詳細な説明】
【技術分野】
【０００１】
本発明は、タイミング同期技術に関し、特に受信した信号から既知のユニークワードを検出するタイミング同期方法および装置に関する。
【背景技術】
【０００２】
ＴＤＭＡ（Time Division Multiple Access）通信等では、一般的にひとつのフレームを分割する複数のスロットを使用して、ディジタル情報を伝送する。このようなＴＤＭＡ通信の送信装置と受信装置の間で、タイミング同期の確立は、通常送信されたスロット内に含まれたユニークワードを検出することによって実現される。携帯電話システムや簡易型携帯電話システムのような移動通信システムの端末装置でも、基地局装置から送信されるユニークワードを検出している。これらのシステムでは、消費電力を低減させるために、非通信時に間欠受信する場合もある。さらに、消費電力の低減のために、高速高精度の基準発振器と低速の基準発振器を備え、通信処理の実行時には、高速高精度の基準発振器で受信した信号をサンプリングし、一方、待ち受け処理時には、低速の基準発振器で受信した信号をサンプリングする（例えば、特許文献１参照。）。
【特許文献１】特開平８−３０７３０４号公報
【発明の開示】
【発明が解決しようとする課題】
【０００３】
送信されたユニークワードを検出する方法には、背景技術のごとく受信した信号を逐次処理する逐次型の検出方法のほかに、受信した信号をメモリ等の記憶媒体に一旦記憶し、記憶した受信信号を処理する蓄積型の検出方法もある。特に、蓄積型でユニークワードの検出に要する期間が、信号を受信するために要する期間よりも短い場合には、検出処理を間欠的に動作できるため、処理の停止期間を長くできる。その結果、蓄積型のユニークワード検出によって、消費電力の低減も可能である。さらに、一旦記憶した受信信号を処理するために、より高度な処理も可能になり、ユニークワードの検出精度も向上できる。しかしながら、蓄積型のユニークワード検出方法では、特にオープンアパーチャにおいて、すべてのスロットを記憶する必要があるために、処理に必要な記憶容量が大きくなってしまう。
【０００４】
本発明はこうした状況に鑑みてなされたものであり、その目的は、ユニークワードの検出のために必要なデータの記憶容量を小さくするためのタイミング同期技術を提供することにある。
【課題を解決するための手段】
【０００５】
本発明のある態様は、タイミング同期装置である。この装置は、ひとつのフレームを分割した複数のスロットに含まれた信号を受信する受信部と、受信した信号を記憶する記憶部と、記憶した信号から、基準とすべきタイミングを示した既知のユニークワードを検出する検出部とを備える。この装置において、記憶部は、少なくともひとつのスロットに含まれた信号を記憶可能な記憶領域を有しており、当該記憶領域に受信した信号を巡回的に上書きしながら記憶し、検出部は、記憶領域を複数の領域に分割した場合のひとつの領域に含まれた信号のデータ量をひとつの検出単位として既知のユニークワードを検出してもよい。
以上の装置により、記憶領域の記憶容量が小さくても、ユニークワードの検出単位は当該記憶容量よりもさらに小さいため、ユニークワード検出処理を高速に実行できて受信したデータを欠落させず、その結果、ユニークワードの検出精度を低下させない。
【０００６】
記憶部が有した記憶領域の記憶容量を略ひとつのスロットに含まれた信号のデータ量にしてもよい。検出部は、ひとつの検出単位に含まれた信号を受信するための期間より短い期間で、記憶した信号から既知のユニークワードをひとつの検出単位で間欠的に検出してもよい。検出部は、記憶領域を複数の領域に分割した場合に複数の領域にわたって含まれたユニークワードを検出するために、複数の検出単位に含まれた既知のユニークワードを検出してもよい。
「略ひとつのスロット」とは、ひとつのスロットのデータ量だけでなく、ひとつのスロットのデータ量に対して、処理遅延を考慮したデータ量を加算したデータ量も含む。
【０００７】
スロットは、予め規定された位置に誤り検出符号を配置しており、記憶した信号を復調する復調部と、検出部で既知のユニークワードを検出した場合に、復調した信号の中の誤り検出符号に誤りがなければ、既知のユニークワードを検出したタイミングを基準のタイミングに決定する決定部とをさらに備えてもよい。
「既知のユニークワードを検出したタイミング」とは、ユニークワードそのもののタイミングでなくても、ユニークワードとの相対的な関係が明らかなスタートシンボル等のタイミングであってもよい。
【０００８】
本発明の別の態様は、タイミング同期方法である。この方法は、ひとつのフレームを分割した複数のスロットに含まれた信号が、少なくともひとつのスロットに含まれた信号を記憶可能な記憶領域に巡回的に上書きしながら記憶され、記憶領域を複数の領域に分割した場合のひとつの領域に含まれた信号のデータ量をひとつの検出単位として、記憶した信号から基準とすべきタイミングを示した既知のユニークワードを検出する。
【０００９】
本発明のさらに別の態様も、タイミング同期方法である。この方法は、ひとつのフレームを分割した複数のスロットに含まれた信号を受信するステップと、受信した信号を記憶するステップと、記憶した信号から、基準とすべきタイミングを示した既知のユニークワードを検出するステップとを備える。この方法において、記憶するステップは、少なくともひとつのスロットに含まれた信号を記憶可能な記憶領域を有しており、当該記憶領域に受信した信号を巡回的に上書きしながら記憶し、検出するステップは、記憶領域を複数の領域に分割した場合のひとつの領域に含まれた信号のデータ量をひとつの検出単位として既知のユニークワードを検出してもよい。
【００１０】
記憶するステップで記憶領域の記憶容量を略ひとつのスロットに含まれた信号のデータ量にしてもよい。検出するステップは、ひとつの検出単位に含まれた信号を受信するための期間より短い期間で、記憶した信号から既知のユニークワードをひとつの検出単位で間欠的に検出してもよい。検出するステップは、記憶領域を複数の領域に分割した場合に複数の領域にわたって含まれたユニークワードを検出するために、複数の検出単位に含まれた既知のユニークワードを検出してもよい。スロットは、予め規定された位置に誤り検出符号を配置しており、記憶した信号を復調するステップと、既知のユニークワードを検出した場合に、復調した信号の中の誤り検出符号に誤りがなければ、既知のユニークワードを検出したタイミングを基準のタイミングに決定する決定部とをさらに備えてもよい。
【００１１】
本発明のさらに別の態様は、プログラムである。このプログラムは、無線ネットワークを介して、ひとつのフレームを分割した複数のスロットに含まれた信号を受信するステップと、少なくともひとつのスロットに含まれた信号を記憶可能な記憶領域に、受信した信号を巡回的に上書きしながら記憶するステップと、記憶領域を複数の領域に分割した場合のひとつの領域に含まれた信号のデータ量をひとつの検出単位として、記憶した信号から基準とすべきタイミングを示した既知のユニークワードを検出するステップとをコンピュータに実行させる。
【００１２】
記憶するステップは、記憶領域の記憶容量を略ひとつのスロットに含まれた信号のデータ量にしてもよい。検出するステップは、ひとつの検出単位に含まれた信号を受信するための期間より短い期間で、記憶した信号から既知のユニークワードをひとつの検出単位で間欠的に検出してもよい。検出するステップは、記憶領域を複数の領域に分割した場合に複数の領域にわたって含まれたユニークワードを検出するために、複数の検出単位に含まれた既知のユニークワードを検出してもよい。スロットは、予め規定された位置に誤り検出符号を配置しており、記憶した信号を復調するステップと、既知のユニークワードを検出した場合に、復調した信号の中の誤り検出符号に誤りがなければ、既知のユニークワードを検出したタイミングを基準のタイミングに決定するステップとをさらに備えてもよい。
【００１３】
なお、以上の構成要素の任意の組合せ、本発明の表現を方法、装置、システム、記録媒体、コンピュータプログラムなどの間で変換したものもまた、本発明の態様として有効である。
【発明の効果】
【００１４】
本発明によれば、ユニークワードの検出のために必要なデータの記憶容量を小さくできる。
【発明を実施するための最良の形態】
【００１５】
本発明を具体的に説明する前に、概要を述べる。本発明の実施例は、簡易型携帯電話システムにおける基地局装置と端末装置間のタイミング同期に関する。基地局装置は、ひとつのフレームに含まれた複数のスロットのひとつにユニークワードを挿入して送信する。当該基地局装置と通信すべき端末装置は、ユニークワードの検出によって、当該基地局装置とスロットのタイミングを同期する。特に本実施例は、ユニークワードの検出のうち、オープンアパーチャの処理に関するものであって、さらに蓄積型のユニークワード検出に関する。本実施例の端末装置は、１スロットに相当したデータ量を記憶可能なメモリを備え、受信したデータを当該メモリに巡回的に上書きしながら記憶する。一方、ユニークワード検出は、１／２スロットに相当したデータ単位（以下、「検出単位」という）で行い、さらに検出単位に相当したデータのメモリへの記憶処理よりも高速に処理される。その結果、メモリに記憶したデータがフルになる前に、ユニークワード検出を実行したデータが削除されるため、メモリの記憶容量が、１スロットに対応したデータ量であっても、受信したデータを欠落させることなくユニークワード検出の処理が可能になる。
【００１６】
ユニークワードが検出できた場合、復調したデータを対象にＣＲＣ（Cyclic Redundancy Check）を実行し、その結果にもとづいて、受信タイミングを検出する。さらに、端末装置の周囲に配置されている複数の基地局装置のうち、通信条件のよい基地局装置を通信対象に選ぶため、端末装置は、複数の基地局装置からの信号を対象にユニークワード検出処理を実行し、複数の受信タイミングに関する情報を記憶する。さらに、複数の検出した受信タイミングに対する受信信号の強度等にもとづいて、記憶した複数の受信タイミングの中から、ひとつの受信タイミングを選択する。一般的に、複数のタイミングに関する情報を記憶するための記憶容量は、受信したデータを記憶するための記憶容量よりも小さく、本実施例の端末装置では、受信したデータを記憶するための記憶容量も小さくできるため、装置全体の記憶容量を小さくできる。
【００１７】
図１は、実施例に係る通信システム１００の構成を示す。通信システム１００は、端末装置１０、基地局装置１４を含む。さらに、端末装置１０は、端末用アンテナ１２、ＲＦ部１８、ＡＧＣ２０、ロールオフフィルタ部２２、ＡＤ変換部２４、直交検波部２６、処理部２８、制御部３０を含み、基地局装置１４は、基地局用アンテナ１６を含む。また信号として、ＩＱデータ２００、復調データ２０２を含む。
【００１８】
基地局装置１４は、基地局用アンテナ１６を介して、後述の端末装置１０を複数接続可能であって、端末装置１０と図示しないネットワーク間で通信されるデータを中継する。また、ひとつの端末装置１０が通信可能なエリアの中に、複数の基地局装置１４が存在する場合もあり、当該場合に端末装置１０は、通信に関する条件のよい基地局装置１４を選択して通信する。ここでは説明の簡易化のため、ひとつの基地局装置１４を選択するものとするが、複数の基地局装置１４と通信するものであってもよい。
【００１９】
端末装置１０は、説明の簡略化のために、受信機能に関するものを図示し、送信機能に関するものを省略した。
端末用アンテナ１２は、基地局装置１４と通信するために所定の無線周波数の信号を放射する。なお、基地局装置１４の指向性は任意のものでよい。
ＲＦ部１８は、後述のＡＧＣ２０等で処理される中間周波数の信号と無線周波数の信号間の周波数変換処理等を行う。
【００２０】
ＡＧＣ２０は、受信した信号の振幅を後述のＡＤ変換部２４のダイナミックレンジ内の振幅にするために、利得を自動的に制御する。ロールオフフィルタ部２２は、ＡＧＣ２０から出力された信号をロールオフ整形する。ＡＤ変換部２４は、アナログ信号をデジタル信号に変換する。ここでは、シンボルレートの８倍の速度でオーバーサンプリングする。
直交検波部２６は、デジタル信号を直交検波して、ベースバンドのＩＱデータ２００を生成する。図中では、１本の線によってＩＱデータ２００を示したが、実際のＩＱデータ２００は、同相成分と直交成分を有する。
【００２１】
処理部２８は、ＩＱデータ２００を入力して、基地局装置１４とのタイミング同期処理を行ったり、ＩＱデータ２００を復調する。ここでは、変調方式をπ／４シフトＱＰＳＫ（以下、これもＱＰＳＫと示す）とし、復調方法を遅延検波とする。タイミング同期の詳細については、後述する。
制御部３０は、端末装置１０全体の動作を制御する。
【００２２】
この構成は、ハードウエア的には、任意のコンピュータのＣＰＵ、メモリ、その他のＬＳＩで実現でき、ソフトウエア的にはメモリのロードされた予約管理機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００２３】
図２（ａ）−（ｂ）は、フレームの構成とスロットの構成を示す。図２（ａ）は、簡易型携帯電話システムのフレームの構成であって、ひとつのフレームは、８個のスロットを含む。８個のスロットのうちスロット１からスロット４は、下り回線の信号として使用され、一方、スロット５からスロット８は、上り回線の信号として使用される。下り回線のスロット１からスロット４のうち、スロット１が制御信号を伝送する。図２（ｂ）は、スロット１の構成を示す。ここで、「Ｒ」はランプビットを示し、「ＳＳ」はスタートシンボルを示し、「ＰＲ」はプリアンブルを示し、「ＵＷ」はユニークワードを示し、「ＣＡＣ」は制御信号を示し、「ＣＲＣ」はＣＲＣ符号を示し、「Ｇ」はガードビットを示す。
【００２４】
なお、これらの記号の下に記載された数字は、それぞれに割り当てられたビット数を示す。図示の通り、ひとつのスロットは、「２４０ビット」のデータを含み、これは「１２０シンボル」のデータに相当する。そのため、ＡＤ変換部２４での量子化ビット数を８ビットとすれば、１スロットあたりのＩＱデータ２００のデータ量は、１５３６０ビットになる。一方、１スロットあたりの復調データ２０２のデータ量は、１９２０ビットになる。図１の端末装置１０は、オープンアパーチャ時に複数の基地局装置１４から送信されるフレームの中から、所定のスロットに含まれたユニークワードを検出して、当該ユニークワードを含んだスロットを送信した基地局装置１４とタイミング同期を確立する。
【００２５】
図３は、処理部２８の構成を示す。処理部２８は、ＢＢコントローラ部５０、ＯＳＣ５２、復調部５４、記憶部５６、検出部５８、基地局情報格納部６０を含む。また信号として、サンプルカウンタ値２０４、スロットカウンタ値２０６、サンプリングクロック２０８を含む。
ＢＢコントローラ部５０は、ＯＳＣ５２から出力された一定間隔のタイミングを示したサンプリングクロック２０８によって、ＩＱデータ２００に含まれたデータに番号を割り当て、当該番号が与えれらたＩＱデータ２００を出力する。最終的には、当該番号にもとづいて、所定の基地局装置１４に対する受信タイミングを記憶する。具体的には、データの番号を示すためにサンプルカウンタ値２０４とスロットカウンタ値２０６を出力する。スロットカウンタ値２０６はスロットの番号ｎを示し、サンプルカウンタ値２０４はスロット内のデータの番号ｍを示すため、スロット開始位置をｆとすれば、受信した信号のタイミング番号ｘは、次の通り表される。
（数１）
ｘ  ＝  ｆ＋ｎ×ｍ
【００２６】
記憶部５６は、サンプルカウンタ値２０４で示された番号ｍに対応したアドレスにＩＱデータ２００を記憶する。記憶部５６の記憶容量は、１スロット分のデータ量に対応した番号ｍの最大値に相当する。１スロットの期間が終了すれば、番号ｍはリセットされるため、ＩＱデータ２００は巡回的に上書きされる。
検出部５８は、記憶部５６に記憶された信号に対して、検出単位でユニークワード検出する。ユニークワードが検出した場合、対応するＳＳのタイミング番号を後述の復調部５４に報告する。また、ひとつの基地局装置１４に対する受信タイミングが、無線伝搬環境の影響で複数検出される場合もあるが、検出部５８は受信電力値等にもとづいてひとつの受信タイミングを選択する。
【００２７】
復調部５４は、ＩＱデータ２００を遅延検波する。検出部５８からＳＳのタイミング番号の報告を受けた場合、それに対応したＣＲＣのタイミング番号にもとづいてＣＲＣチェックを行う。ＣＲＣチェックの結果、ＣＲＣエラーがなければタイミングを検出できたとし、それに対応したＳＳのタイミング番号を受信タイミング番号とする。
基地局情報格納部６０は、オープンアパーチャの際に検出した基地局装置１４の受信タイミング番号やその他の情報を記憶する。記憶内容の詳細については、後述する。
【００２８】
図４は、ＢＢコントローラ部５０の構成を示す。ＢＢコントローラ部５０は、サンプルカウンタ７０、スロットカウンタ７２、バッファ７４を含む。
サンプルカウンタ７０は、サンプリングクロック２０８のタイミングでサンプルカウンタ値２０４を生成する。ひとつのスロットは前述のごとく１２０シンボルであり、ひとつのシンボルを８倍サンプリングしているため、サンプルカウンタ値２０４によって示される番号ｍは、０から９５９の値になる。
スロットカウンタ７２は、スロットカウンタ値２０６を示す。ここでは、スロットカウンタ値２０６によって示される番号ｎは、０から９９の値をとるものとする。
バッファ７４は、サンプルカウンタ値２０４とスロットカウンタ値２０６にＩＱデータ２００を対応付ける。
【００２９】
図５は、検出部５８の動作概要を示す。ここでは、ｘ番目のスロットｘとｘ＋１番目のスロットｘ＋１を処理の対象として、オープンアパーチャでスロットｘ＋１に含まれたユニークワードを検出する場合を説明する。記憶部５６には、１スロットに対応したデータが記憶されるため、図中の「書き込み対象データ」と示した区間のデータが、左端をスタートアドレスとして書き込まれる。検出部５８はユニークワード検出のために、図中の「読み出し対象データ」と示した区間のデータを２回に分けて読み出す。さらに、読み出したデータの区間の先頭や最後尾にユニークワードの一部が含まれている場合を考慮して、その前後のデータを含めた形で、図中の「ＵＷ検出対象データ」と示した区間でユニークワード検出を実行する。ＵＷ検出対象データは、ユニークワードがふたつの検出単位にまたがっている場合を考慮して、検出単位に対して、ユニークワードの長さからひとつのシンボル長を減じたデータ量だけずらす必要がある。ここでは、ふたつ目の「読み出し対象データ」に対してユニークワード検出を行った場合に、ユニークワードが検出される。
【００３０】
図６（ａ）−（ｂ）は、基地局情報格納部６０に記憶された情報のデータ構造を示す。基地局情報格納部６０は、図示のごとく２種類の情報を格納している。図６（ａ）は、検出部５８がユニークワードを検出して、かつ復調部５４が行ったＣＲＣチェックにエラーがなかった場合の受信したデータに関する情報である。一般的に、オーバーサンプル数が多い場合、受信タイミングのピーク前後のサンプルでも、ユニークワードが検出され、その結果受信タイミングは、ひとつのタイミングに特定されず、複数のタイミングに広がる。
【００３１】
そのため、ここでは、所定の受信電力以上になる複数の受信タイミングとデータの内容を一旦記憶し、後からそのうちのひとつのタイミングを選択する。図中の「受信スロット」は受信したデータの内容を示し、「受信タイミング」は検出された受信タイミングを前述のタイミング番号ｘで表したものであり、「ＲＳＳＩ」は受信電力である。ここでは、ひとつの受信タイミングに対応すべき１０個の受信タイミングを記憶している。検出部５８は、ＲＳＳＩをもとに、これらの受信タイミングからひとつの受信タイミングを選択する。
【００３２】
図６（ｂ）は、前述の受信タイミングの選択の結果、複数の基地局装置１４に対して検出された受信タイミングを示す。図中の「ＣＳ−ＩＤ」は基地局装置１４の識別番号であり、「受信タイミング」は検出された受信タイミングを前述のタイミング番号ｘで表したものであり、「ＲＳＳＩ」は受信電力である。検出部５８は、ＲＳＳＩをもとに、複数の基地局装置１４の受信タイミングからひとつの基地局装置１４の受信タイミングを選択し、ナローアパーチャに移行する。
【００３３】
図７は、オープンアパーチャの場合の受信タイミングを決定する処理を示すフローチャートである。端末装置１０の電源立ち上げ後、所定の期間にわたって、オープンアパーチャによるユニークワード検出を行うために、制御部３０は、オーブンアパーチャ用タイマを開始する（Ｓ１０）。記憶部５６に記憶したＩＱデータ２００をもとに、検出部５８が検出単位でユニークワード検出を行う（Ｓ１２）。さらに、復調部５４はＣＲＣチェックにエラーがなければ、受信タイミングを取得する（Ｓ１４）。タイマが終了していなければ（Ｓ１６のＮ）、ユニークワード検出を繰返し行って、複数の基地局装置１４に対応した受信タイミングを取得する。一方、タイマが終了していれば（Ｓ１６のＹ）、検出部５８は、基地局情報格納部６０に記憶した複数の基地局装置１４に対する受信タイミングから、ひとつの受信タイミングを選択する（Ｓ１８）。
【００３４】
図８は、受信タイミングを取得する処理を示すフローチャートである。当該フローチャートは、図７のフローチャートのステップ１２とステップ１４の処理に対応する。記憶部５６は、受信したＩＱデータ２００を記憶する（Ｓ３０）。ＩＱデータ２００が記憶部５６に検出単位分記憶されていなければ（Ｓ３２のＮ）、検出部５８はユニークワード検出を行わずに、ＩＱデータ２００が記憶されるのを待つ。一方、ＩＱデータ２００が記憶部５６に検出単位分記憶されれば（Ｓ３２のＹ）、検出部５８は間欠的にユニークワード検出を行う。ユニークワードを検出できなければ（Ｓ３４のＮ）、ステップ３０からの処理を繰り返す。一方、ユニークワードを検出できれば（Ｓ３４のＹ）、受信タイミングを基地局情報格納部６０に記憶する（Ｓ３６）。
【００３５】
また、復調部５４がＩＱデータ２００を復調し、図６（ａ）のごとく復調データ２０２を基地局情報格納部６０に記憶する（Ｓ３８）。さらに、復調部５４がＣＲＣチェックを行って（Ｓ４０）、ＣＲＣエラーがなければ（Ｓ４２のＹ）、当該受信タイミングを取得する（Ｓ４４）。最終的に、検出部５８は、ひとつの基地局装置１４に対して複数取得した受信タイミングから、ひとつの受信タイミングを選択する。一方、ＣＲＣエラーがあれば（Ｓ４２のＮ）、ステップ３０からの処理を繰り返す。
【００３６】
図９は、受信したデータを記憶部５６に記憶する処理を示すフローチャートである。当該フローチャートは、図８のフローチャートのステップ３０の処理に対応する。サンプルカウンタ７０は、ｓａｍｐｌｅ＿ｃｏｕｎｔを０に設定する（Ｓ６０）。なお、ｓａｍｐｌｅ＿ｃｏｕｎｔは前述のスロット内のデータの番号ｍと同一である。ｓａｍｐｌｅ＿ｃｏｕｎｔが９６０以上でなければ（Ｓ６２のＮ）、ＢＢコントローラ部５０はｓａｍｐｌｅ＿ｃｏｕｎｔをデータ格納アドレスとして記憶部５６にＩＱデータ２００を出力する（Ｓ６４）。一方、ｓａｍｐｌｅ＿ｃｏｕｎｔが９６０以上になれば（Ｓ６２のＹ）、ｓａｍｐｌｅ＿ｃｏｕｎｔをリセットする。ＩＱデータ２００が終了しなければ（Ｓ６６のＮ）、ｓａｍｐｌｅ＿ｃｏｕｎｔに１を加算する（Ｓ６８）。以上の処理は、ＩＱデータ２００が終了するまで（Ｓ６６のＹ）実行する。
【００３７】
以上の構成による端末装置１０の動作を説明する。直交検波部２６は、受信したデータを直交検波して、ＩＱデータ２００を出力する。ＢＢコントローラ部５０は、信号のタイミングを示す番号を割り当てながら、ＩＱデータ２００を記憶部５６に１スロット単位で記憶する。検出部５８は、記憶部５６に記憶されたデータを検出単位でユニークワード検出する。ユニークワード検出ができれば、復調部５４が復調した復調データ２０２に対して、復調部５４はＣＲＣチェックする。ＣＲＣエラーがなければ、当該信号のＳＳに対応した番号を受信タイミングとして、基地局情報格納部６０に記憶する。さらに、互いに値の近いいくつかの受信タイミングに対応した受信電力値を比較し、その中で最も大きい受信電力値に対応した受信タイミングをひとつの基地局装置１４に対する受信タイミングとして、基地局情報格納部６０に記憶する。以上の動作を複数の基地局装置１４で行い、その結果の受信電力値にもとづいて、ひとつの受信タイミングを選択する。
【００３８】
本発明の実施例によれば、受信したデータを記憶する容量が、１スロットに相当したデータ量ですむために、記憶容量を削減できる。また、記憶部に受信した信号を記憶するための処理期間よりも短い期間で、ユニークワード処理を実行できるため、ユニークワード処理を間欠的に実行でき、処理効率を向上できる。また、一旦データを記憶するため、複雑な処理も可能になり、ユニークワードの検出確率を向上できる。さらに、複数のアンテナが存在する場合でも、記憶したデータをもとにユニークワード検出すればよいだけなので、同様の処理で対応可能である。
【００３９】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【００４０】
本発明の実施例において、検出部５８は、検出単位として、１／２スロットに相当したデータ単位でユニークワード検出している。しかしこれに限らず例えば、１／３や１／４であればよい。本変形例によれば、検出単位内のユニークワード処理を高速にできる。つまり、検出単位は、記憶部５６での記憶容量より小さいデータ量であればよい。
【００４１】
本発明の実施例において、通信システム１００は簡易型携帯電話システムとして説明した。しかしながらこれに限らず、通信システム１００は携帯電話システムであってもよい。つまり、所定のスロットに含まれたユニークワードを検出して、基地局装置１４と端末装置１０との間のタイミング同期を確立するシステムであれば、本発明を適用可能である。本変形例によれば、様々なシステムに適用できる。
【図面の簡単な説明】
【００４２】
【図１】実施例に係る通信システムの構成を示す図である。
【図２】図２（ａ）−（ｂ）は、図１のフレームの構成とスロットの構成を示す図である。
【図３】図１の処理部の構成を示す図である。
【図４】図３のＢＢコントローラ部の構成を示す図である。
【図５】図３の検出部の動作概要を示す図である。
【図６】図６（ａ）−（ｂ）は、図３の基地局情報格納部に記憶された情報のデータ構造を示す図である。
【図７】図１のオープンアパーチャの場合の受信タイミングを決定する処理を示すフローチャートである。
【図８】図７の受信タイミングを取得する処理を示すフローチャートである。
【図９】図８の受信したデータを記憶する処理を示すフローチャートである。
【符号の説明】
【００４３】
１０  端末装置、  １２  端末用アンテナ、  １４  基地局装置、  １６  基地局用アンテナ、  １８  ＲＦ部、  ２０  ＡＧＣ、  ２２  ロールオフフィルタ部、  ２４  ＡＤ変換部、  ２６  直交検波部、  ２８  処理部、  ３０  制御部、  ５０  ＢＢコントローラ部、  ５２  ＯＳＣ、  ５４  復調部、  ５６  記憶部、  ５８  検出部、  ６０  基地局情報格納部、  ７０  サンプルカウンタ、  ７２  スロットカウンタ、  ７４  バッファ、  １００  通信システム、  ２００  ＩＱデータ、  ２０２  復調データ、  ２０４  サンプルカウンタ値、  ２０６  スロットカウンタ値、  ２０８  サンプリングクロック。
【図１】
2005101878.tif 000003
【図２】
2005101878.tif 000004
【図３】
2005101878.tif 000005
【図４】
2005101878.tif 000006
【図５】
2005101878.tif 000007
【図６】
2005101878.tif 000008
【図７】
2005101878.tif 000009
【図８】
2005101878.tif 000010
【図９】
2005101878.tif 000011